(57)【要約】【目的】インキ収容部が汚れた状態に見えるなどの問題を回避し、見栄えの良い筆記具を提供可能とする。【構成】先端にボールペンのチップを有し、後方のインキ収容部にインキとインキの後端にインキと追随するフォロアが充填されてなるボールペンリフィールと、ボールペンリフィールを着脱可能に接合した軸筒の後方にポンピング式の加圧機構が設けられてなる加圧式のボールペンに於いて、ボールペンリフィールは、そのリフィール本体の先軸部後方外周に螺合等の接続部が設けられ、その後方にインキ収容部が延設され、軸筒は、内孔前端にボールペンリフィールとの接続部が設けられて、更にその接合部の前方または後方でリフィール本体の外周または軸筒の内孔周面に周状に密接してその前後方向の通気が遮断されるシール部が設けられてなる。【選択図】                図１
2004351623.tif 000002
【特許請求の範囲】
【請求項１】
先端にボールペンのチップを有し、後方のインキ収容部にインキとインキの後端にインキと追随するフォロアが充填されてなるボールペンリフィールと、ボールペンリフィールを着脱可能に接合した軸筒の後方にポンピング式の加圧機構が設けられてなる加圧式のボールペンに於いて、
ボールペンリフィールは、そのリフィール本体の先軸部後方外周に螺合等の接続部が設けられ、その後方にインキ収容部が延設され、軸筒は、内孔前端にボールペンリフィールとの接続部が設けられて、更にその接合部の前方または後方でリフィール本体の外周または軸筒の内孔周面に周状に密接してその前後方向の通気が遮断されるシール部が設けられてなる加圧式のボールペン。
【請求項２】
軸筒とボールペンリフィールのインキ収容部の双方あるいは何れか一方が透明な樹脂成形品で設けられてなる請求項１に記載の加圧式のボールペン。
【請求項３】
加圧機構は、ノックスプリングによってノック棒が軸筒に対して常時後方に附勢された状態で、且つ前後退可能に後軸筒に係止されると共に、ノック棒の外周部が軸筒の内周部に密接するように設けられ、ノック棒を前進させた時に通気口とノック棒の前端との間に形成される空間部を圧縮して加圧するように設けられたノック機構部と、そのノック機構部の前方に加圧空気を疎通させる弁機構が設けられてなる請求項１に記載の加圧式のボールペン。
【請求項４】
ノック棒を前進して空間部を適宜圧縮した状態で、弁機構が解放状態となるように弁機構の後端またはノック棒の前端に相互が当接する凸部が設けられてなる請求項３に記載の加圧式のボールペン。
【請求項５】
ポンピング作動操作の終端位置で更なる操作を加えることによってノック棒を更に前進させ、ノック棒の外周部と軸筒の内周部との密接状態を解除させて、フォロアの後端と外気が通気可能となる請求項４に記載の加圧式のボールペン。
【発明の詳細な説明】
【０００１】
【産業上の利用分野】
本発明は、初期筆記でインキ切れしやすいインキを使用したボールペン、乾燥しやすいインキを使用したボールペン、インキに種々のフィラーが混入されたボールペン、紙面に筆記した筆跡が消しゴムでの擦過により容易に消去できるインキが充填されたボールペン、誤記等を白色のインキで隠蔽することで修正可能とするボールペン、などの加圧式のボールペンに関する。
【０００２】
【従来の技術】
【特許文献１】特開平８−５２４０７
【特許文献２】特表平７−５０６８６２
【特許文献３】特開２００１−１５０８６５
従来、誤記等を修正するために白色顔料を用いた液体塗布具が知られている。
また、白色顔料と溶剤が分離しやすい為にこの種の液体塗布具は可撓性のある容器にインキとボール等が封入されており、使用に際して振って攪拌する必要がある。また、インキを吐出する為に容器の側面を押圧して行うが、インキ残量が少なくなった時には容器の側壁を強く押してもインキが吐出されないという苛立たしさがある。（特許文献１）
また、剪断減粘性を有するインキを使用して、攪拌しないですむものも知られているが、上向きで塗布したときにインキが逆流してインキ切れしやすい問題が存在する。（特許文献２）
また、軸筒の後端にポンピング式の加圧機構部が設けられ、更にその前方で且つインキの後端に接触してインキの消耗と共に追随するよう配設されたフォロアの後端に位置して弁機構が配設され、加圧機構部の前進作動によって軸筒の後端孔に空気が押し込まれて、その際に所定圧で弁が開いてフォロアの後端が加圧されることによってインキのチップ側への流動性が支援されるように構成されたものが提案されている。（特許文献３）
しかしながら、このものは弁機構のバラツキ（弁の開閉に作用するスプリングのバラツキ、スリットを弾性的に開閉するゴム製弁体の寸法バラツキなど）で適正な加圧力が設定できないなどの問題がある。また、ボールペンの未使用時に於いて、加圧力が所定の設定値を越えた状態となっていた場合、不用意に筆記先端部に外力が懸かってインキが吹出るという問題がある。
【０００３】
一般に粘性の低いインキまたは剪断減粘性を有したインキを使用したボールペンは、インキの流出量が多く（筆記濃度を上げるため）インキ収容管の径を太くしてインキの搭載量を多くしている。また、インキの粘度は油性ボールペンのインキに比べて小さいのでインキ収容管に対する流動抵抗は小さい。従って、インキの自重や落下あるいはノック衝撃が加わることによりインキ漏れ（インキ収容管の後端にインキが逆流する）が生じやすい。その為に、通常はインキの後端に筆記時のインキの消耗に追随して移動するが、インキの自重や衝撃に対してインキの逆流を抑制するグリース状のフォロアが、また、必要によりフォロア棒がフォロア内に浸漬されて設けられている。しかしながら、フォロアを設けても上向き筆記をした時にはチップのボール背面のインキが無くなると、インキのヘッドが直に加わる為に顕著な逆流が生じて手や衣服を汚す危険がある。また、インキの粘度が低く流出量が多いが故に、チップ側を下向きにした場合に先端ボールとチップ抱持部の隙間が生じるとインキが滲みでる（直流）問題が存在する。
特に、誤記等を修正するために白色顔料を用いた液体塗布具の場合には、インキの流量を多くすることや、乾燥による目詰まり排除などの理由で、筆圧によって先端ボールが後退する寸法が大きくとってあり、先端ボールの周面とチップのボール抱持部の内面との間の隙間が大きい。
【０００４】
また誤字修正用のインキなどは、消化した後のインキ収容部の内壁に微量のインキが付着して、残存するインキの状態が解りにくかったり、汚れた状態に見えるなどの問題があってインキ収容管は常識的に不透明となされている。
また油性系のインキで、溶剤などによってインキ収容管が経時劣化して変色したり、割れが発生するなどの問題がある。
【０００５】
【発明が解決しようとする課題】
本発明は、初期筆記でインキがとぎれやすいインキを使用したボールペン、インキに種々のフィラーが混入されたボールペン、紙面に筆記した筆跡が消しゴムでの擦過により容易に消去できるインキが充填されたボールペン、誤記等を白色のインキで隠蔽することで修正可能とするボールペンなどを適正な加圧力を容易に設定可能とし、その加圧作用で支援して筆記可能とする。
ボールペンの未使用時に於いて、不用意に筆記先端部に外力が懸かってもインキが吹出る問題を回避可能とする。
また、消化した後のインキ収容部の内壁に微量のインキが付着して、残存するインキの状態が解りにくかったり、汚れた状態に見えるなどの問題や、インキ収容管が経時劣化して変色したり、割れが発生するなどの問題を回避し、見栄えの良い筆記具を提供可能とする。
【０００６】
【課題を解決するための手段】
本発明は、上記課題を達成する為に以下の構成を有する。
請求項１に記載の発明に係る加圧式のボールペンは、先端にボールペンのチップを有し、後方のインキ収容部にインキとインキの後端にインキと追随するフォロアが充填されてなるボールペンリフィールと、ボールペンリフィールを着脱可能に接合した軸筒の後方にポンピング式の加圧機構が設けられてなる加圧式のボールペンに於いて、ボールペンリフィールは、そのリフィール本体の先軸部後方外周に螺合等の接続部が設けられ、その後方にインキ収容部が延設され、軸筒は、内孔前端にボールペンリフィールとの接続部が設けられて、更にその接合部の前方または後方でリフィール本体の外周または軸筒の内孔周面に周状に密接してその前後方向の通気が遮断されるシール部が設けられてなる。
【０００７】
請求項２に記載の発明に係る加圧式のボールペンは、請求項１に記載の加圧式のボールペンに於いて、軸筒とボールペンリフィールのインキ収容部の双方あるいは何れか一方が透明な樹脂成形品で設けられてなる。
【０００８】
請求項３に記載の発明に係る加圧式のボールペンは、請求項１に記載の加圧式のボールペンに於いて、加圧機構は、ノックスプリングによってノック棒が軸筒に対して常時後方に附勢された状態で、且つ前後退可能に後軸筒に係止されると共に、ノック棒の外周部が軸筒の内周部に密接するように設けられ、ノック棒を前進させた時に通気口とノック棒の前端との間に形成される空間部を圧縮して加圧するように設けられたノック機構部と、そのノック機構部の前方に加圧空気を疎通させる弁機構が設けられてなる。
【０００９】
請求項４に記載の発明に係る加圧式のボールペンは、請求項３に記載の加圧式のボールペンに於いて、ノック棒を前進して空間部を適宜圧縮した状態で、弁機構が解放状態となるように弁機構の後端またはノック棒の前端に相互が当接する凸部が設けられてなる。
【００１０】
請求項５に記載の発明に係る加圧式のボールペンは、請求項４に記載の加圧式のボールペンに於いて、ポンピング作動操作の終端位置で更なる操作を加えることによってノック棒を更に前進させ、ノック棒の外周部と軸筒の内周部との密接状態を解除させて、フォロアの後端と外気が通気可能となる。
【００１１】
【実施例】
図１乃至図５は本発明の実施例１である加圧式のボールペンを示している。
先ず、本発明の加圧式のボールペンは、先軸部３の先端にボールペンのチップ７を備え、後方のインキ収容部２にインキ１０とインキの後端にインキと追随するフォロア１１が充填されてなるボールペンリフィール１と、そのボールペンリフィールを着脱可能に接合した軸筒１３の後方にポンピング式の加圧機構が設けられてなる。
また、通常の筆記具の最終形態としては先軸部３に被嵌するキャップ（図示せず）が設けられる。
【００１２】
ボールペンリフィール１のリフィル本体１ａは、一体の樹脂成形品で先方が先細状に形成された先軸部３とその後方外周に接続部として雄螺子部２ｄが設けられ、更に雄螺子部２ｄ後方にインキ収容部２が延設されてなる。また、インキ収容部２の外周部に円周状の凸部となされたシール部２ｂが形成されている。このシール部２ｂは、ボールペンリフィールが軸筒１３に螺合によって結合されたときに、軸筒１３の内孔周面に通気が遮断されるように摺接して気密効果を上げることが可能となる。尚、リフィール本体は、先軸部と雄螺子部と装着部を備えた継ぎ手に筒状のインキ収容管を固着して設けることもできる。
インキ収容部２は、通常は透明で、内部にインキ１０とフォロア１１が充填される。また、先軸部３の先端より内孔３ａが形成され、内孔の後端には、拡開した孔（弁室５となる）があり、その孔の前端に複数箇所でリブ３ｃが放射状に設けられている。尚、リフィール本体１ａは、一例としてＰＰ樹脂やナイロン樹脂成形品等が使用される。
【００１３】
一方、受け座部材４は、前面にテーパー状または球面状の弁体受け座４ａを有し、弁体受け座４ａの中心から後端に貫通した導孔４ｄが設けられている。
また、外周部の前方に円周状に凸部４ｂが、後方に円周状または突条の係止部４ｃが形成されている。
受け座部材４は、インキ収容部２の後端から挿入され、インキ収容部の内孔先方の段部２ａに当接して位置決めされると共に、その前方の内孔面に上記凸部４ｂが密接し、更に係止部４ｃが後方の内孔面に食い付き状に係止される。
尚、インキ収容部２の内孔面と受け座部材４の外周部の相互間に溝部と突部を設けて、弾性変形を利用して係止することも可能である。
【００１４】
以上で、リブ３ｃの後端となる前受け座３ｄと受け座部材４の前端となる弁体受け座４ａとの間に弁室５が形成される。尚、受け座部材４を係止する前に球状の弁体６が挿入されて、弁室５内に弁体６が遊嵌される。
尚、弁体６は球状に限らず棒状のコマであってもよい。その場合、弁体の前方外周にインキを流通可能とする溝を形成すれ弁室の前端に上記のリブ３ｃを特に設ける必要はない。
【００１５】
またチップ７は、インキ流入可能なチャンネルを有した座に先端ボール８が略当接した状態で先端ボール８が回転自在に抱持されるようカシメられている。
また、チップ内孔７ａにスプリング９が内挿され、チップ後方の軸部７ｂの後端が適宜カシメられて、スプリング９の後端が抜出不能に設けられている。
また、スプリング９の先方には直立状の棒軸部９ａが形成され、当該棒軸部９ａの先端が先端ボール８の背面に押圧状に当接している。尚、先端ボール８はその押圧でチップ７のボール抱持部の内縁に密接状態と成される。
【００１６】
先端ボール８がボール抱持部の内面に密接することはインキが高粘度であっても筆記先端の乾燥、インキの直流防止に対し極めて重要である。
即ち、本願のような主に誤記修正塗布用のボールペンは、インキの吐出量を多くする為に、筆記用のボールペンに比較して先端ボールの後退する寸法が大きく設定されている。また、必要に応じて先端ボール８を抱持するチップ内面の表面粗さ、カシメによる密接精度を改善する為に内面の研削仕上げ、カシメ精度を上げる為の二次的な塑性加工などが配慮される。また、必要によっては先端ボールとの密接面に表面処理などが配慮される。
【００１７】
チップ７は先軸部３先端の内孔３ａに圧着される。
また、チップ７はインキ流入可能なチャンネルを有した座に先端ボール８が略当接した状態で、先端ボール８が回転自在に抱持されるようカシメられている。
また、チップ７の内孔部にスプリング９が内挿され、チップの軸部７ｂの後端が適宜カシメられて（カシメ部７ｃ）スプリング９の後端が抜出不能となされている。尚、スプリングの前面に先端ボール８の背面を押圧する押し部材を設けることも、また、上記棒軸部を極細巻きのコイル状となすことも可能である。
また更に、チップを耐磨耗性やインキのシール性能に優れた樹脂成形品となして、先端ボールの背面を押圧するバネ座を一体または別体のバネ座を設けて構成することも可能である。
【００１８】
以上により、チップ側が下向きの時に弁体６が前受け座３ｄに当接して、インキが導孔４ｄ、弁室５、リブとリブとの間に形成される溝を通じてチップ内孔７ａから先端ボール８の背面まで導通する。
【００１９】
インキ収容部２内に低粘度のインキや剪断減粘性を有するインキ、主として白色顔料インキ１０が充填され、そのインキの後端にインキの消耗と共にインキと追随するグリース状のフォロア１１が充填されている。また、フォロア１１はインキと相溶性が無く、インキの蒸発を防止する性能を有している。また、必要に応じてフォロア内にフォロアと略同等の比重を有する樹脂製のフォロア棒１２が浸漬される。尚、フォロアは例えばシリコンゴム等の追従体とすることも可能である。
【００２０】
また、白色顔料インキ１０は、少なくとも酸化チタン、高分子中空微粒子等の白色顔料とゲル化剤を含み、顔料の沈降が防止されると共に流動性が極力損なわれないように配合された白色顔料インキである。また、インキは剪断減粘性を有しているので先端ボールの回転で粘度が低下するのと相まって隠蔽性の高い塗布が可能である。
【００２１】
軸筒１３は、後端にノック棒１７を有し、ポンピングによって圧縮空気を送り込むように加圧機構が配設され、軸筒１３の前端内孔に接合部として雌螺子部１３ｎが設けられている。
またポンピング式の加圧機構は、弁機構部と、弁機構部の後方に形成される空間部を圧縮するように設けられたノック機構部とで構成されている。
【００２２】
弁機構部は以下のように構成されている。
先ず、ブッシュ１４は、軸心部に前端から弁室となる孔が設けられ、その孔の後端にテーパー状又は球面状の受け座１４ｂが形成されると共に、やや小径と成した通気口１４ｃが後端まで貫通して設けられており、球状の弁体１５が受け座１４ｂに密接する状態に弁体と軸筒１３の内孔前方に設けられた内段部１３ｆとの間にスプリング１６が敷設されると共に、ブッシュ１４が軸筒１３の内孔前方に別に設けられた内段部１３ｅに前端が当接した状態で軸筒１３の内孔に密嵌されて弁機構部が構成される。
以上によって、常時は、弁体１５が受け座１４ｂに密接して通気口１４ｃが閉塞され、後軸筒の内孔を気密状に分断する。
【００２３】
また、弁機構部の後方にノック機構部が配設される。
ノック機構部は以下のように構成されている。
軸筒１３の後端部側面に、後端側から先方に向かって細くなるテーパー状のスリット部１３ｃが形成され、その前端に後段部１３ｄを有して軸方向前方所定長さのスリット部１３ｂが形成されている。
【００２４】
またノック棒１７は、後端に鍔状の摘み部１７ｂとその前方に軸部が形成され、軸部外周の略中間に突部１７ａと軸部外周の略前端に周状の溝部１７ｃが設けられて、その溝部１７ｃに一例としてゴム等の弾性体や弾性のある成形樹脂などより成るシールリング１８が止着されている。
尚、シールリング１８は、気密性、滑り性のよいものが選択される。また、他潤滑剤を介在させるなど配慮される。また、シールリング部は軸部外周に一体に形成することも可能である。
またノック棒１７の前端には、前端から後方に向かって適宜深さの凹部１７ｅが形成され、その凹部１７ｅの軸心に軸部１７ｄが形成され、更に軸部１７ｄの前方にノック棒の前端面よりさらに突出した凸部１７ｆが形成されている。
【００２５】
またノック棒１７は、軸筒１３の後端から挿入され、上記凹部１７ｅの後端とブッシュ１４の後端との間にノックスプリング１９が敷設されると共に、突部１７ａが上記テーパー状のスリット部１３ｃを弾性的に拡開して、突部１７ａが後段部１３ｄの前面に係止され、ノックスプリング１９によって軸筒１３に対してノック棒１７は常時後方に附勢される。ところで、軸筒１３の内孔には、前記スリット部１３ｃの前段部１３ｊよりやや前方にリング１３ｋが固定され、そのリング１３ｋの内径はその前方の後軸筒の内周部１３ｉの内径より適宜小さく設定されており、シールリング１８の外周部はリング１３ｋの後端から僅か後方に位置されている。従って、通気口１４ｃとノック棒１７の前端との間に形成される空間部２０は外気と連通している。
【００２６】
即ち、ノック棒１７の前進作動の直前において、軸筒１３の空間部２０は外気と連通され、ノック棒１７が適宜前進した直後においてシールリング１８の外周部がリング１３ｋの内周部に密接することで外気と遮断され、空間部２０の縮小と共に加圧されるよう構成されている。
また、ノック棒１７を前進して空間部２０を適宜圧縮した状態で、弁体１５の受け座１４ｂとの密接状態が解除されるようにノック棒１７の前端に設けられた凸部１７ｆが弁体１５の後端に当接する。
尚、仕様や組立ての都合によってリング１３ｋは軸筒１３と一体に形成することもできる。
【００２７】
以上で、ボールペンリフィール１の雄螺子部２ｄを軸筒１３の雌螺子部１３ｎに螺合することによって、上述したシール部２ｂでフォロア１１の後端部空間が外気と遮断される。
尚、前軸筒と後軸筒を結合させる接合部は、螺子部に限らず、凹凸部の弾性係合などによっても達成することが可能である。
【００２８】
ところで、図５は後軸筒のスリット部を側面から示した図である。図に示すように、スリット部は、スリット部１３ｂの前段部１３ｊから軸筒１３の周面に沿った傾斜状のスリット部１３ｍを経由して水平な溝部１３ｌで設けられている。また図５は、ノック棒１７がポンピング作動操作の終端位置から更なる回転操作で軸筒１３に対してもっとも前進して係止された状態を示している。
【００２９】
また図６は、軸筒１３の内孔周面に円周状の凸部となされたシール部１３ｏが形成されており、上述したものとは別の形態を示している。
このシール部１３ｏも、軸筒１３にボールペンリフィールが螺合されたときに、気密効果を発揮する。
【００３０】
また、図７及び図８は本発明の実施例２である加圧式のボールペンを示している。実施例２は、実施例１のボールペンリフィールの構造を簡素化したものであって、基本的には同じものである。即ち、ボールペンリフィールのリフィール本体２１ａ前方の内孔部で、チップ７の後端に対峙したインキ逆流防止用の弁機構が無く、さらに、インキ１０の後端に設けられたフォロア２４にはフォロア棒が浸漬されていない。このことは、実施例１がインキの逆流防止に対して完璧なのに対して実施例２が実質上問題のない構造を示している。
【００３１】
また図９は、リフィール本体２５の雄螺子部２５ａの前方に円周状の凸部となされたシール部２５ｂが形成されており、上述したものとは更に別の形態を示している。このシール部２５ｂも、軸筒２６にボールペンリフィールが螺合されたときに、気密効果を発揮する。尚、シール部２５ｂをゴム等の弾性体に置き換えることも可能である。
【００３２】
【作用】
次に、ポンピング式の加圧機構の作用を以下に説明する。
図２に示す状態からノック棒１７の後端を押圧して前進すると、図３に示すように、シールリング１８の外周部がリング１３ｋの内周部に密接した時点で空間部２０が外気と遮断されると共に、ノック棒１７が更に前進することによってシールリング１８の外周部がリング１３ｋの内周部に密接して摺動し、空間部２０の縮小と共に内圧が上昇する。また、ノック棒１７を前進して空間部２０を適宜圧縮した状態で、弁体１５の受け座１４ｂとの密接状態が解除されるようにノック棒１７の前端に設けられた凸部１７ｆが弁体１５の後端に当接し、加圧された空気が弁体の前方に押し込まれることによって、フォロア１１の後端が加圧されてインキのチップ側への流動性が支援される。
【００３３】
そのことは、落下衝撃やインキの流動性の悪さ等に起因して先端ボールの周面からインキが離れてしまい連続的なインキの流出がとぎれるのを防止する作用ととぎれた時に回復する作用となる。
また、インキの特性などによって適正な加圧力が設定される。その場合、シールリング１８の外周部が軸筒１３の内周部全周に密接する時の空間部２０の容積とノック棒１７の前端に設けられた凸部１７ｆが弁体１５の後端に当接した時の空間部の容積を幾らにするか、シール部のリーク値などを勘案して設定することが可能となる。また、凸部１７ｆで弁体１５の後端に当接することによって、弁体１５を押圧するスプリング１６の強さが所定の強さより強い方にばらついても所定の加圧力が設定可能である。
【００３４】
上記の状態からノック棒の摘み部１７ｂを一方に回転すると、ノック棒の突部１７ａが傾斜状のスリット部１３ｍに案内されて溝部１３ｌに係止される。（図５参照）また、この状態は図４に示される。
このとき、シールリング１８は後軸筒の内周部１３ｉに位置しており、弁体１５の前方から外気に連通する通気路が形成され、フォロア１１の後端は外気と通気した状態に維持される。
従って、ボールペンの未使用時に於いて、不用意に筆記先端部に外力が懸かっても加圧によってインキが吹出る問題が回避可能となる。
【００３５】
次に、ボールペンリフィール１の機能について説明する。
先ず、筆記しない状態ではスプリング９の押圧で先端ボール８がチップ抱持部の内縁に密接されるのでインキ１０の直流及び逆流が防止される。また、筆圧により先端ボール８が微小に後退するので隙間を生じてインキが流出可能となり、筆記により先端ボール８の回転でインキが流出されて筆記される。
スプリング９の押圧が無い場合でも、インキの粘度があまり低く過ぎたり、あるいはインキの充填量が多過ぎたり、インキ収容部が大き過ぎたりしない場合には、フォロアの後端が加圧されるのでインキが直流や逆流が防止できる。
しかしながら、チップ７を上向きにして筆記したり、ノック衝撃の繰り返しなどを考慮するとインキの直流及び逆流防止のためにスプリング９で押圧することが望ましい。
【００３６】
また、フォロア棒は、インキ収容部が大径である場合に使用される。
即ち、グリース状のフォロアは、インキ収容部が大径の場合に衝撃などの影響で変形を受け破壊されやすいという問題がある。フォロア内にフォロアと略同等の比重を有する樹脂製のフォロア棒を浸漬させることにより剛性を上げることが可能となる。
【００３７】
また、インキの直流及び逆流はスプリングによる先端ボールへの押圧で果たされるが、先端ボールをボール抱持部の内縁にスプリングの押圧によって密接させると共に、その後方に弁体を遊嵌した弁室を設けてチップ上向きで弁体が導孔を閉塞するように併設して設けることで、ボール抱持部の加工バラツキによる先端ボールとの密接不完全状態や、ボール抱持部と先端ボールとの隙間に固形物が付着した場合の密接不完全状態が生じてもインキの逆流が確実に防止できる。
【００３８】
上述したフォロア棒や弁体を有したインキの逆流防止構造は、インキ収容部が大径で逆流しやすい場合や、上向き筆記を繰り返した時や衝撃が掛かった時に性能を発揮するものであって構成要素として必須のものではなく、特に誤記修正用のボールペンは上向きに使用されることはまず無いので必ずしも必要としない。
【００３９】
本発明の加圧式のボールペンは、加圧機構を備えた軸筒とボールペンリフィールが別部材と成され、軸筒はインキに触れる懸念が無いのでインキによる経時劣化などを心配する必要が無く、特にガスバリヤー性を配慮する必要も無いので外観の良い、印刷などがしやすい、あるいは価格の安い樹脂材料を選択することが可能となる。（インキはフォロアの設置によって加圧機構側にインキが流入する問題は無い。また、加圧による内圧は経時と共にリークするが、ポンピングにより、使用時に於いては問題とならない。）また、ボールペンリフィールのリフィール本体は、そのインキ収容部が軸筒内に収容されるので、外観を気にしないで済むのでインキによる劣化が無く、ガスバリヤー性やインキのクリヤードレン性に優れた（あるいは施した）樹脂材料を選択することがで容易となり、また、インキ収容部内のインキで汚れた状態を見せることなく、軸筒の所要箇所に窓部を穿設することでインキの残存状態を確認することが可能となり、見栄えの良い筆記具を安価に提供することが可能となる。
【００４０】
また、先軸部と雄螺子部を有した継ぎ手の内孔にインキ収容管の前方外周部を圧入するように構成すれば、硬く引っ張り強度に弱い（割れやすい）が透明性やガスバリヤー性に優れた樹脂材料がインキ収容管として使用可能となり、更に軸筒を透明にすることで、内部を見せることによって加圧機構に遊び性を持たせたり、ボールペンリフィールに対しては、単にインキの残量を知らせるだけでなくやはり遊び性を表現させることが可能となる。
尚、前記インキ収容管は、その前後端が継ぎ手と軸筒によって略狭窄された状態になるので、継ぎ手とインキ収容管の接続は気密である条件を満たせば接合強度は弱くても良く、従って割れない範囲で継ぎ手の接合部外周に被覆して固定することも可能である。
【００４１】
【発明の効果】
本発明の加圧式のボールペンの構成及び作用は以上の如くであり、
初期筆記でインキ切れしやすいインキを使用したボールペンが加圧作用に支援されて筆記可能となる。また、酸化チタン、高分子中空微粒子等の白色顔料とゲル化剤を含み、顔料の沈降が防止されると共に流動性が損なわれないように配合された白色顔料インキと、ポンピングによる加圧機構を設けることによって、従来のように白色顔料と溶剤とが分離するような問題がなく、従ってインキを攪拌する必要がなく、筆記に際して容器の側面を押圧する煩わしさが無い誤記修正用のボールペンが提供可能となる。
また、ノック棒の前端に設けられた凸部を弁体の後端に当接させることによってインキの特性などによって適正な加圧力が設定可能となり、弁体を押圧するスプリングの強さが所定の強さより強い方にばらついても所定の加圧力に設定可能である。
また、携帯時などボールペンの未使用時に於いて、加圧状態が解除できるので、不用意に筆記先端部に外力が懸かっても加圧によってインキが吹出て周囲を汚損する等の問題が回避可能となる。
【００４２】
また、消化した後のインキ収容部の内壁に微量のインキが付着して、残存するインキの状態が解りにくかったり、汚れた状態に見えるなどの問題や、硬く引っ張り強度に弱いインキ収容管が経時劣化して変色したり、割れが発生するなどの問題を回避し、見栄えの良い筆記具を提供可能とする。
また、軸筒を透明にして内部を見せることにより、加圧機構に遊び性を持たせたり、ボールペンリフィールに対しては、単にインキの残量を知らせるだけでなくやはり遊び性を表現させることが可能となり、魅力有る筆記具を提供することができる。
【図面の簡単な説明】
【図１】本発明の実施例１である加圧式のボールペンの前方部を示す縦断面図である。
【図２】実施例１である加圧式のボールペンの後方部を示す縦断面図である。
【図３】実施例１の加圧機構部の作動状態を拡大して示した断面図である。
【図４】実施例１の加圧が解除された状態を拡大して示した断面図である。
【図５】図４の状態に維持される為、ノック棒の突部が軸筒の溝部に係止された状態を示す図である。
【図６】リフィール本体と軸筒とのシール部の別の形態を示した加圧式のボールペンの後方部を示す縦断面図である。
【図７】実施例２である加圧式のボールペンの前方部を示す縦断面図である。
【図８】実施例２である加圧式のボールペンの後方部を示す縦断面図である。
【図９】リフィール本体と軸筒とのシール部の更に別の形態を示した加圧式のボールペンの前方部を示す縦断面図である。
【符号の説明】
１        ボールペンリフィール
１ａ    リフィール本体
２      インキ収容部
２ａ    段部
２ｂ    シール部
２ｃ    鍔部
２ｄ    雄螺子部
３      先軸部
３ａ    内孔
３ｂ    孔部
３ｃ    リブ
３ｄ    前受け座
４      受け部材
４ａ    弁体受け座
４ｂ    凸部
４ｃ    係止部
４ｄ    導孔
５      弁室
６      弁体
７      チップ
７ａ    チップ内孔
７ｂ    軸部
７ｃ    カシメ部
８      先端ボール
９      スプリング
９ａ    棒軸部
１０    インキ
１１    フォロア
１２    フォロア棒
１３    軸筒
１３ａ  段部
１３ｂ  スリット部
１３ｃ  テーパー状のスリット部
１３ｄ  後段部
１３ｅ  内段部
１３ｆ  内段部
１３ｉ  内周部
１３ｊ  前段部
１３ｋ  リング
１３ｌ  溝部
１３ｍ  傾斜状のスリット部
１３ｎ  雌螺子部
１４    ブッシュ
１４ａ  後端部
１４ｂ  受け座
１４ｃ  通気口
１５    弁体
１６    スプリング
１７    ノック棒
１７ａ  突部
１７ｂ  摘み部
１７ｃ  溝部
１７ｄ  軸部
１７ｅ  凹部
１７ｆ  凸部
１８    シールリング
１９    ノックスプリング
２０    空間部
２１    ボールペンリフィール
２１ａ  リフィール本体
２２    インキ収容部
２３    先軸部
２４    フォロア
２５    リフィール本体
２５ａ  雄螺子部
２５ｂ  シール部
２６    軸筒
【図１】
2004351623.tif 000003
【図２】
2004351623.tif 000004
【図３】
2004351623.tif 000005
【図４】
2004351623.tif 000006
【図５】
2004351623.tif 000007
【図６】
2004351623.tif 000008
【図７】
2004351623.tif 000009
【図８】
2004351623.tif 000010
【図９】
2004351623.tif 000011